(57)【特許請求の範囲】
【請求項１】
表紙に固定される固定部材と、
被綴じ物を綴じる綴じ部材とを備え、
前記綴じ部材は、前記固定部材にヒンジ部を介して回動自在に固定された綴じ具であって、
前記固定部材は、表紙に固定されるベースの一方側端部において形成された、外側面がテーパー状に形成された立上り部に、ベースの長手方向に伸びるヒンジ部が形成され、
前記綴じ部材は、該綴じ部材を構成する可動部材の下部に形成された、外側面がテーパー状に形成された突出部に、前記ヒンジ部によって連設され、
前記綴じ部材を閉じて、ベースに固定したとき、前記ベースのテーパー状立上り部のテーパー面と前記綴じ部材の可動部材の立上り部のテーパー面とが略平面状となるように連設されて、前記ベースと回動自在に連設され、
前記綴じ部材を、ヒンジ部を中心にして展開したとき、被綴じ物を綴じる綴じ棒が表紙にほぼ垂直状に維持されるように、固定部材と綴じ部材とヒンジ部とが形成された、綴じ具。
【請求項２】
前記固定部材は、表紙に固定されるベースの一方側端部において形成された、外側面がテーパー状に形成された立上り部に、ベースの長手方向に伸びるヒンジ部が形成され、
前記綴じ部材は、該綴じ部材を構成する可動部材の下部に形成された、外側面がテーパー状に形成された突出部に、前記ヒンジ部によって連設され、
前記綴じ部材を閉じて、ベースに固定したとき、前記ベースのテーパー状立上り部のテーパー面と前記綴じ部材の可動部材の立上り部のテーパー面とが略平面状となるように連設されて、前記ベースと回動自在に連設され、
前記綴じ部材をヒンジ部を中心にして展開したとき、前記可動部材の下部の突出部のテーパー面の上部および／または可動部材の下部が、背表紙と表表紙または裏表紙との境界のうち、前記可動部材下部の突出部に近い境界の上部に接するように構成された、請求項１に記載の綴じ具。
【請求項３】
ヒンジ部は、表紙に固定されるベースの一方側端部において長手方向に伸び、且つ該綴じ部材を構成する可動部材の下部において長手方向に延びる薄肉状に形成された、請求項１または請求項２に記載の綴じ具。
【請求項４】
前記綴じ部材が、ヒンジ部を中心にして綴じ具を表紙に対し垂直になったとき、
前記綴じ部材の可動部材は、ベースの基板とほぼ平行な位置において、その外表面がベースの基板の背表紙側表面より上方で且つベースの基板の背表紙側表面とは反対側表面より下方となるように、形成された、請求項１ないし請求項３のいずれかに記載の綴じ具。
【発明の詳細な説明】
【０００１】
【産業上の利用分野】
この発明は、綴じ具に関し、特に、例えば複数の筒状綴じ棒を備えた綴じ部材に書類やカタログなどの紙片を綴じ込む綴じ具に関する。
【０００２】
【従来の技術】
従来の綴じ具は、例えば実公平５−４１９０４号に示されたように、表紙に固定される固定部材（基板２）と固定部材に開閉自在にヒンジ部を介して連設された綴じ部材（側板３）とを有するものがある。
この綴じ具では、表紙に固定された固定部材より相当離れた位置にヒンジ部が存在する。
【０００３】
【発明が解決しようとする課題】
従来のこの綴じ具においては、表紙より相当高い位置にヒンジ部が存在しているため、綴じ部材を開いたとき、筒状綴じ棒に綴じられた書類などが多くなれば多くなるほど、その重さにより表紙側に傾き、本来、綴じ棒は垂直状に立設された状態において書類などを綴じる方が書類の綴じ易さなどから好ましいにもかかわらず、綴じ棒が斜め方向に向いてしまうために書類などが綴じにくくなる。
【０００４】
それゆえに、この発明の主たる目的は、書類などの被綴じ物を綴じるときに、被綴じ物を綴じる綴じ棒が表紙にほぼ垂直状に維持される綴じ具を提供することである。
【０００５】
【課題を解決するための手段】
この発明の請求項１に記載の綴じ具は、表紙に固定される固定部材と、被綴じ物を綴じる綴じ部材とを備え、綴じ部材は、固定部材にヒンジ部を介して回動自在に固定された綴じ具であって、固定部材は、表紙に固定されるベースの一方側端部において形成された、外側面がテーパー状に形成された立上り部に、ベースの長手方向に伸びるヒンジ部が形成され、綴じ部材は、該綴じ部材を構成する可動部材の下部に形成された、外側面がテーパー状に形成された突出部に、ヒンジ部によって連設され、綴じ部材を閉じて、ベースに固定したとき、ベースのテーパー状立上り部のテーパー面と綴じ部材の可動部材の立上り部のテーパー面とが略平面状となるように連設されて、ベースと回動自在に連設され、綴じ部材を、ヒンジ部を中心にして展開したとき、被綴じ物を綴じる綴じ棒が表紙にほぼ垂直状に維持されるように、固定部材と綴じ部材とヒンジ部とが形成された、綴じ具である。
この発明の請求項２に記載の綴じ具は、固定部材は、表紙に固定されるベースの一方側端部において形成された、外側面がテーパー状に形成された立上り部に、ベースの長手方向に伸びるヒンジ部が形成され、綴じ部材は、該綴じ部材を構成する可動部材の下部に形成された、外側面がテーパー状に形成された突出部に、ヒンジ部によって連設され、綴じ部材を閉じて、ベースに固定したとき、ベースのテーパー状立上り部のテーパー面と綴じ部材の可動部材の立上り部のテーパー面とが略平面状となるように連設されて、ベースと回動自在に連設され、綴じ部材をヒンジ部を中心にして展開したとき、可動部材の下部の突出部のテーパー面の上部および／または可動部材の下部が、背表紙と表表紙または裏表紙との境界のうち、可動部材下部の突出部に近い境界の上部に接するように構成された、請求項１に記載の綴じ具である。
この発明の請求項３に記載の綴じ具は、ヒンジ部は、表紙に固定されるベースの一方側端部において長手方向に伸び、且つ該綴じ部材を構成する可動部材の下部において長手方向に延びる薄肉状に形成された、請求項１または請求項２に記載の綴じ具である。
この発明の請求項４に記載の綴じ具は、綴じ部材が、ヒンジ部を中心にして綴じ具を表紙に対し垂直になったとき、綴じ部材の可動部材は、ベースの基板とほぼ平行な位置において、その外表面がベースの基板の背表紙側表面より上方で且つベースの基板の背表紙側表面とは反対側表面より下方となるように、形成された、請求項１ないし請求項３のいずれかに記載の綴じ具である。
【０００６】
【発明の効果】
請求項１の発明によれば、綴じ部材を固定部材から離脱させて展開したとき、被綴じ物を綴じる綴じ棒が表紙にほぼ垂直状に維持されるので、表紙が机などの水平面上に置かれているとき、垂直状に維持された綴じ棒に被綴じ物に貫設された綴じ孔によって綴じ込みやすい。
請求項２の発明によれば、綴じ部材を固定部材より離脱させて展開したとき、可動部材の下部の突出部のテーパー面の上部および／または可動部材の下部が背表紙と表表紙または裏表紙との境界の上部に接して、可動部材の表紙側への傾きを抑止し、綴じ棒をほぼ垂直状に維持することができるので、被綴じ物に穿設された綴じ孔をもって被綴じ物を綴じやすい。
請求項３の発明によれば、固定部材と綴じ部材とを合成樹脂で一体成型し易く、綴じ部材の開閉をスムーズに行うことができる。
請求項４の発明によれば、綴じ部材を固定部材より離脱させて展開したとき、綴じ棒に多くの被綴じ物が綴じられているときにおいても、綴じ部材の可動部材の外表面が表紙に近い位置まで展開されているので、ヒンジ部を中心に綴じ部材が表紙側に傾いても、ほとんど綴じ棒を垂直状に維持することができ、被綴じ物に穿設させた綴じ孔をもって被綴じ物を綴じ棒に綴じ易い。
【０００７】
この発明の上述の目的，その他の目的，特徴および利点は、図面を参照して行う以下の発明の実施の形態の詳細な説明から一層明らかとなろう。
【０００８】
【発明の実施の形態】
図１はこの発明の綴じ具の一例を示す斜視図であり、図２はその分解斜視図である。綴じ具１０は、ファイル１２の一部として用いられ、ファイル１２の表紙１４に取り付けられる。表紙１４は、背表紙１４ａを含み、背表紙１４ａの両側に表表紙１４ｂおよび裏表紙１４ｃが形成される。そして、背表紙１４ａに、綴じ具１０が取り付けられる。
【０００９】
綴じ具１０は、表紙１４に固定される固定部材たるベース２０を含む。ベース２０は、図３に示すように、合成樹脂などで形成される略矩形板状の基板２２を含む。基板２２は、たとえば超音波溶着やリベットなどによって、背表紙１４ａに固定される。基板２２の幅方向の一方側（表表紙１４ｂ側）近傍には、２つの爪部２４が形成される。爪部２４は、基板２２の長手方向に所定の間隔を隔てて並んで形成される。これらの爪部２４は、基板２２の面から立ち上がるように形成され、その上端部が基板２２の幅方向の一方側に向かって鉤状に折れ曲がるように形成される。
【００１０】
また、基板２２の幅方向の一方側（表表紙１４ｂ側）端部には、２つの爪部２４の両側に、２つの固定用傾斜部２６が形成される。固定用傾斜部２６は、基板２２の幅方向の一方側から中央部側に向かうにしたがって低くなるように傾斜している。さらに、基板２２の幅方向の一方側中央部には、解除用傾斜部２８が形成される。解除用傾斜部２８は、基板２２の中央部側から一方端側に向かうにしたがって低くなるように傾斜している。固定用傾斜部２６は、綴じ具１０に書類などを綴じて固定するときに用いられ、解除用傾斜部２８は、綴じ具１０に綴じられた書類などの被綴じ物Ａを取り外すときに用いられる。
【００１１】
基板２２の幅方向の他方側（裏表紙１４ｃ側）には、ヒンジ部３０を介して、書類などの被綴じ物Ａを綴じる綴じ部材３００を構成する可動部材３２が形成される。可動部材３２は、矩形板状の揺動板３４を含み、この揺動板３４が、薄肉のヒンジ部３０を中心として回転可能に形成されている。揺動板３４のヒンジ部３０側からは、揺動板３４の面に直交するようにして、２つの固定板３６が形成される。これらの固定板３６は、揺動板３４の長手方向の両端側に形成される。固定板３６の端部には、それぞれ固定用凹部４０が形成される。
【００１２】
さらに、揺動板３４の面から直交して延びるようにして、書類などの被綴じ物Ａに形成された円形の綴じ孔が挿通される綴じ棒を構成する２本のパイプ部材３８が形成される。これらのパイプ部材３８は、揺動板の長手方向に間隔を隔てて形成される。パイプ部材３８は、円筒状に形成され、その一方端が揺動板３４に固定される。そして、パイプ部材３８の他方端は、斜めに傾斜するように形成される。
【００１３】
また、綴じ具１０は、前記可動部材３２と協働して、書類などの被綴じ物Ａを綴じる綴じ部材３００を構成する嵌合部材４２を含む。嵌合部材４２は、図４〜図６に示すように、矩形板状の支持板４４を含む。支持板４４の長手方向に間隔を隔てて、２本の挿入杆４６が形成される。挿入杆４６は、揺動板３４から延びるパイプ部材３８に対応する位置に形成され、このパイプ部材３８に挿入することにより、書類を綴じることができる。
【００１４】
さらに、支持板４４の幅方向の一方側端部から、支持板４４の一方面に直交するように延びる２つの案内板４８が形成される。案内板４８は、支持板４４の長手方向の両側に形成され、揺動板３４に形成された固定板３６に対応する位置に形成される。案内板４８は、挿入杆４６をパイプ部材３８に挿入するとき、固定板３６の下面に配置されて挿入杆４６とパイプ部材３８との位置関係を合わせるために用いられる。
【００１５】
また、案内板４８の内側には、支持板４４の面と直交するようにして、２つの引掛け部材５０が形成される。これらの引掛け部材５０は、基板２２の爪部２４に引掛けるように用いられる。さらに、図６に示すように、支持板４４の他方面から案内板４８にかけて、２つの曲面部５２が形成される。これらの曲面部５２は、挿入杆４６をパイプ部材３８に挿入したときに、基板２２に形成された固定用傾斜部２６に対応する位置に形成される。
【００１６】
さらに、図５に示すように、支持板４４の中央部には、着脱部材装着部５４が形成される。着脱部材装着部５４は、支持板４４の幅方向の一端側において、支持板４４と平行して形成される壁部材５６と、支持板４４の多端側および挿入杆４６の内側において、挿入杆４６と同じ向きに突出するリブ５８とで形成される。この着脱部材装着部５４には、切り欠き部５４ａが形成され、ここに着脱部材６０が取り付けられる。
【００１７】
着脱部材６０は、図７および図８に示すように、コ字状に折り曲げられた挟持部６２を含み、この挟持部６２が支持板４４の切り欠き部５４ａ形成部を挟むようにして挟持する。支持板４４の着脱部材装着部５４側において、挟持部６２の長手方向の両側に延びるようにして、ストッパ６４が形成される。これらのストッパ６４が、図９に示すように、支持板４４に形成されたリブ５８に引っかかって、挟持部６２が支持板４４から外れることを防いでいる。
【００１８】
さらに、挟持部６２の中央部には、接続部６６を介して、屈曲部材６８が形成される。屈曲部材６８は、支持板４４の長手方向に延びるように形成され、その中央部が接続部６６に接続されている。屈曲部材６８の両端部には、案内板４８側に向かって突出する凸部７０が形成される。屈曲部材６８は、支持板４４と壁部材５６との間に挟み込まれ、着脱部材６０が安定して保持される。そして、凸部７０は、支持板４４と壁部材５６の間から、案内板４８方向に向かって露出するように形成される。
【００１９】
また、屈曲部材６８の中間部には、嵌合部材４２に形成された支点部材７２が当接される。この支点部材７２が当接されることにより、挟持部６２を接続部６６側に向かって押したときに、支点部材７２を中心として屈曲部材６８に撓みが生じる。それにより、案内板４８方向に向かって露出している凸部７０が上がり、案内板４８側に露出しなくなる。さらに、図４〜図６に示すように、支持板４４の長手方向の中央部において、支持板４４と壁部材５６との間に窓部７４が形成される。そして、挟持部６２を接続部６６側に向かって押したときに、屈曲部材６８の中央部が窓部７４から露出する。
【００２０】
ファイル１２に書類を保持するには、着脱部材６０を外した状態で、孔が形成された書類にパイプ部材３８が挿通される。このとき、パイプ部材３８の先端部が斜めになっているため、容易に書類にパイプ部材３８を通すことができる。また、このとき、可動部材３２は、ヒンジ部３０を中心として、揺動可能な状態となっている。そして、嵌合部材４２の挿入杆４６をパイプ部材３８に挿入することにより、嵌合部材４２の案内板４８が可動部材３２の固定板３６の下をすべっていく。そして、固定板３６が支持板４４にぶつかると、着脱部材６０の凸部７０が固定板３６に形成された固定用凹部４０に入り、嵌合部材４２が可動部材３２に嵌合される。
【００２１】
この状態で、書類は可動部材３２の揺動板３４と嵌合部材４２の支持板４４とで挟まれ、パイプ部材３８によって保持される。したがって、書類は、揺動可能な状態で保持される。さらに、可動部材３２をベース２０側に倒すことにより、嵌合部材４２の引掛け部材５０がベース２０の爪部２４に当たり、爪部２４が撓んで引掛け部材５０が鉤状の部分に引っかかって固定される。
【００２２】
このように、この綴じ具１０では、着脱部材６０の凸部７０と可動部材３２の固定用凹部４０とでパイプ部材３８の延長方向の動きが固定され、かつ嵌合部材４２の引掛け部材５０とベース２０の爪部２４とで可動部材３２の揺動が固定される。
【００２３】
また、嵌合部材４２が可動部材３２に固定されない状態で、可動部材３２をベース２０側に倒しても、ファイル１２に書類を保持することができる。この場合、着脱部材６０の凸部７０が可動部材３２の固定用凹部４０に嵌っていない状態で、可動部材３２がベース２０側に倒される。可動部材３２がベース２０に近づくと、図１０（Ａ）（Ｂ）に示すように、嵌合部材４２の局面部５２がベース２０の固定用傾斜部２６に当たって、支持板４４を揺動板３４方向に押しながら、局面部５２が固定用傾斜部２６上を移動する。したがって、可動部材３２をベース２０に近づけるようにして支持板４４を押すことにより、着脱部材６０の凸部７０が固定用凹部４０に嵌り込むと同時に、引掛け部材５０が爪部２４の鉤状の部分に嵌り込む。
【００２４】
このように、この綴じ具１０では、嵌合部材４２が可動部材３２に固定された状態でも、固定されていない状態でも、可動部材３２をベース２０に押し付けることによって、書類を保持することができる。
【００２５】
ファイル１２に保持した書類を取り外すときには、図１１に示すように、着脱部材６０の挟持部６２を支持板４４の面に沿って押すことにより、図１２に示すように、屈曲部材６８が支点部材７２を中心として撓む。そのため、屈曲部材６８の両端部に形成された凸部７０が上がり、凸部７０が固定用凹部４０から外れる。それにより、嵌合部材４２は、パイプ部材３８に沿って移動可能となる。さらに、図１３（Ａ）（Ｂ）に示すように、挟持部６２を押すことにより、屈曲部材６８の中央部が窓部７４から露出し、ベース２０の解除用傾斜部２８に当たる。そのため、露出した屈曲部材６８の中央部が解除用傾斜部２８上を移動し、挿入杆４６がパイプ部材３８から抜けるようにして嵌合部材４２が移動する。したがって、挟持部６２を押すことにより、着脱部材６０の凸部７０が固定用凹部４０から外れると同時に、引掛け部材５０が爪部２４から外れるように動作する。
【００２６】
このように、この綴じ具１０では、２か所で固定をして書類を保持することができる構造であるが、１回の動作で、綴じ具１０の固定および解除を行うことができる。さらに、可動部材３２と嵌合部材４２とで書類を保持し、その状態で書類が揺動できるようにすることも可能である。
【００２７】
次に、この発明の特徴である、綴じ部材３００を表紙１４に固定された固定部材から離脱して展開したとき、ほぼ綴じ部材３００の可動部材３２を水平状態に維持し、且つ、綴じ棒３８を垂直状に立設することができる構成について説明する。
【００２８】
表紙１４を構成する背表紙１４ａの内側表面に固定される固定部材たるベース２０は、背表紙１４ａの内側面に固定されるベース２０を構成する基板２２の一方側端部（裏表紙１４ｃ側端部）には、立上り部２２ａが形成され、他方側端部（表表紙１４ｂ側）には、立上り部２２ｃが形成されており、立上り部２２ａと立上り部２２ｃとは、全体がテーパー状に形成され、立上り部２２ａの外側面は基板２２より上方に向けて（綴じ部材３００を構成する可動部材３２側に向けて）広がるテーパー状に形成されたテーパー面２２ｂが形成されている。
【００２９】
また、立上り部２２ｃは、基板２２の幅方向の他方側（表表紙１４ｂ側）に形成され、綴じ部材３００を構成する嵌合部材４２側において綴じ部材３００を固定して閉じたとき、固定部材に固定する嵌合部材４２側に延びるように形成される。
立上り部２２ｃは、前記立上り部２２ａと同様に、上方に行くに従って、すなわち、綴じ部材３００を形成する嵌合部材４２側に向かうに従って、外方に向けて拡開するようにテーパー状に形成された、テーパー面２２ｄが形成されている。
【００３０】
背表紙１４ａと表表紙１４ｂとを連設する境界部１４ｄと、背表紙１４ａと裏表紙１４ｃとを連設する境界部１４ｅとは、背表紙１４ａと表表紙１４ｂおよび裏表紙１４ｃとの内側表面より上方に向けて（綴じ具１０側に向けて）盛上がっている。そして、両境界部１４ｄおよび１４ｅの内側（背表紙１４ａの中心側）は、背表紙１４ａの内側表面より上方に向けて（綴じ具１０側に向けて）行くに従って、外側に向けて拡開するテーパー状に形成されている。
したがって、ベース２０は、幅方向一方側（表表紙１４ｂ側）端部に形成された立上り部２２ｃのテーパー面２２ｄと基板２２の幅方向の他方側（裏表紙１４ｃ側）端部に形成された立上り部２２ａのテーパー面２２ｂとが、背表紙１４ａの両側に形成された表表紙１４ｂと裏表紙１４ｃとの境界の間に嵌装することができる。
そして、前記基板２２の立上り部２２ａのテーパー面２２ｂと前記立上り部２２ｃのテーパー面２２ｄとに対応し、表紙１４の境界部１４ｄと境界部ｅとの間にベース２０を隙間を生じることなく嵌装することができる。
【００３１】
前記固定部材を構成するベース２０の基板２２と前記綴じ部材３００を構成する可動部材３２とは、薄肉状ヒンジ部３０によって連設されているが、前記ヒンジ部３０に連設された可動部材３２の下部には、外側面がテーパー状に形成され、ヒンジ部３０と接続された突出部３２ａが形成されている。
【００３２】
突出部３２ａは、ヒンジ部３０と連設され、ヒンジ部３０より上方（固定部材より離れる方向）に向けて行くにしたがって、外側に広がるテーパー面３２ｂが形成されている。
そして、固定部材を構成するベース２０の立上り部２２ａのテーパー面２２ｂと綴じ部材３００を構成する可動部材３２の突出部３２ａのテーパー面３２ｂとは、綴じ部材３００を固定部材の所定位置に固定して閉じたとき、固定部材のベース２０のテーパー状立上り部２２ａのテーパー面２２ｂと前記綴じ部材３００の可動部材３２の突出部３２ａのテーパー面３２ｂとが平面状になるように形成されている。
【００３３】
綴じ部材３００を固定部材の固定手段たる挟持部６２等を操作することによって離脱させ、展開したとき、前記可動部材３２の下部の突出部３２ａのテーパー面３２ｂの上部すなわち可動部材３２の下部の外表面部が、表紙１４の境界部１４ｅの最上外縁部に接し、綴じ部材３００が裏表紙１４ｃ側に向けて傾くことを規制している。
したがって、綴じ部材３００の可動部材３２の外側表面が裏表紙４ｃの表面の近傍に位置し、綴じ棒たるパイプ部材３８がほぼ垂直状に維持される。
すなわち、表紙１４が机などの天板のような水平面上に置かれたとき、綴じ棒を構成するパイプ部材３８が背表紙１４ｃに対し垂直状に維持される。
【００３４】
この綴じ具１０は、綴じ部材３００が固定部材から離脱し展開されて、ヒンジ部３０を中心にして綴じ棒たるパイプ部材３８が表紙１４特に裏表紙１４ｃに対し垂直に立設されたとき、綴じ部材３００の可動部材３２は固定部材の基板２２とほぼ平行な位置において、可動部材３２の外表面がベース２０の基板２２の背表紙側１４ａ側表面（綴じ具１０が固定された内側表面）より上方で（綴じ具１０側で）且つベース２０の基板２２の背表紙１４ａ側表面（下面）とは反対側表面（綴じ部材３００を構成する固定板３６側と対向する面）より下方となるように、ヒンジ部３０が形成されている。
したがって、前記綴じ部材３００がヒンジ部３０を中心にして回転され、綴じ具１０を表紙１４に対し垂直にしたとき、前記綴じ部材３００の可動部材３２は、ベース２０の基板２２とほぼ平行な位置において、その外表面がベース２０の基板２２の背表紙側表面より上方で且つベース２０の基板２２の背表紙１４ａ側表面とは反対側表面より下方となるように、形成されている。
【図面の簡単な説明】
【図１】この発明の綴じ具の一例を示す斜視図である。
【図２】図１に示す綴じ具の分解斜視図である。
【図３】図１に示す綴じ具に用いられるベースと可動部材とを示す平面図解図である。
【図４】図１に示す綴じ具に用いられる嵌合部材を示す平面図解図である。
【図５】図４に示す嵌合部材の側面図解図である。
【図６】図４に示す嵌合部材の底面図解図である。
【図７】図４に示す嵌合部材に取り付けられる着脱部材を示す平面図解図である。
【図８】図７に示す着脱部材の側面図解図である。
【図９】綴じ具を固定したときの各部の様子を示す図解図である。
【図１０】（Ａ）（Ｂ）は、綴じ具を固定するときの動きを示す図解図である。
【図１１】固定された綴じ具を解除するときの様子を示す図解図である。
【図１２】図１１に示す綴じ具の各部の様子を示す図解図である。
【図１３】（Ａ）（Ｂ）は、固定された綴じ具を解除するときの動きを示す図解図である。
【図１４】綴じ部材を固定部材より離脱し展開した状態を示す断面図解図である。
【図１５】綴じ部材を固定部材に固定した状態を示す断面図解図である。
【符号の説明】
Ａ  被綴じ物
１０  綴じ具
１２  ファイル
１４  表紙
１４ａ  背表紙
１４ｂ  表表紙
１４ｃ  裏表紙
１４ｄ，１４ｅ  境界部
２０  ベース
２２  基板
２２ａ，２２ｃ  立上り部
２２ｂ，２２ｄ  テーパー面
２４  爪部
２６  固定用傾斜部
２８  解除用傾斜部
３０  ヒンジ部
３２  可動部材
３２ａ  突出部
３２ｂ  テーパー面
３４  揺動板
３６  固定板
３８  パイプ部材
４０  固定用凹部
４２  嵌合部材
４４  支持板
４６  挿入杵
４８  案内板
５０  引掛け部材
５２  曲面部
５４  着脱部材装着部
５６  壁部材
５８  りづ
６０  脱部材
６２  挟持部
６４  ストッパ
６６  接続部
６８  屈曲部材
７０  凸部
７２  支点部材
７４  窓部
３００  綴じ部材
【図１】
0003561509.tif 000002
【図２】
0003561509.tif 000003
【図３】
0003561509.tif 000004
【図４】
0003561509.tif 000005
【図５】
0003561509.tif 000006
【図６】
0003561509.tif 000007
【図７】
0003561509.tif 000008
【図８】
0003561509.tif 000009
【図９】
0003561509.tif 000010
【図１０】
0003561509.tif 000011
【図１１】
0003561509.tif 000012
【図１２】
0003561509.tif 000013
【図１３】
0003561509.tif 000014
【図１４】
0003561509.tif 000015
【図１５】
0003561509.tif 000016